(57)【要約】【課題】加湿装置内で霧を殺菌するための紫外線照射装置を含む超音波加湿装置を提供する。【解決手段】凹部（２１１）を含む基部（２１）と、基部（２１）上に配置され、凹部（２１１）と流体連通している水タンク（２２）およびミスト噴霧管（２３）とを含む超音波加湿装置（２）。超音波振動子（２４）は、凹部（２１１）内の水を噴霧するために凹部（２１１）の底端部内に配置される。紫外線照射装置（２５）は、前記ミスト噴霧管（２３）内に配置される。【選択図】図２
0003148438.tif 000002
【実用新案登録請求の範囲】
【請求項１】
凹部（２１１）を含む頂面を有する基部（２１）と、
前記基部（２１）上に配置され、前記基部（２１）内の前記凹部（２１１）と流体連通している水タンク（２２）と、
前記基部（２１）上に配置され、前記基部（２１）内の前記凹部（２１１）と流体連通しているミスト噴霧管（２３）と、
前記基部（２１）内の前記凹部（２１１）内の水を噴霧して霧を形成するために、前記基部（２１）内の前記凹部（２１１）の底端部に配置される超音波振動子（２４）であって、前記霧が、前記ミスト噴霧管（２３）を通して流れる超音波振動子（２４）と、
を含む超音波加湿装置（２）であって、
前記ミスト噴霧管（２３）を通して流れる前記霧を殺菌するための前記ミスト噴霧管（２３）内に配置される紫外線照射装置（２５）を備えることを特徴とする超音波加湿装置。
【請求項２】
前記紫外線照射装置（２５）が、前記ミスト噴霧管（２３）内に配置される遮光部（２５１）と、前記遮光部（２５１）内に配置される少なくとも１つの紫外線ランプ（２５２）とを含み、前記ミスト噴霧管（２３）が、内壁面を有し、前記遮光部（２５１）が、前記ミスト噴霧管（２３）の前記内壁面と協働してその間に環状の霧の通路（２５３）を形成する外壁面を有し、前記環状の霧の通路（２５３）が、前記基部（２１）内の前記凹部（２１１）と流体連通することを特徴とする、請求項１に記載の超音波加湿装置（２）。
【請求項３】
前記紫外線照射装置（２５）が、前記遮光部（２５１）の外壁面上に塗布され、前記環状の霧の通路（２５３）内に露出している二酸化チタン被膜（２５４）をさらに含むことをさらに特徴とする、請求項２に記載の超音波加湿装置（２）。
【請求項４】
前記ミスト噴霧管（２３）が、前記基部（２１）上に配置され、前記ミスト噴霧管（２３）の前記内壁面を形成している内壁面を有する管本体（２３１）と、前記管本体（２３１）の前記内壁面上に塗布され、前記環状の霧の通路（２５３）内に露出している二酸化チタン被膜（２３４）とを含むことをさらに特徴とする、請求項３に記載の超音波加湿装置（２）。
【請求項５】
前記ミスト噴霧管（２３）が、その上端部に配置され、そこを通して前記加湿装置（２）から前記霧が流出することができるミスト出口（２３２）と、その下端部に配置され、前記基部（２１）の前記凹部（２１１）と流体連通しているミスト入口（２３３）とを有することを特徴とする、請求項１に記載の超音波加湿装置（２）。
【請求項６】
前記水タンク（２２）が、前記基部（２１）内の前記凹部（２１１）と流体連通している給水口（２２１）と、前記水タンク（２２）内の前記給水口（２２１）の開閉を制御するための弁（２２２）とを有することを特徴とする、請求項１に記載の超音波加湿装置（２）。
【考案の詳細な説明】
【技術分野】
【０００１】
本考案は、加湿装置に関し、特に、超音波加湿装置に関する。
【背景技術】
【０００２】
図１を参照すると、従来の超音波加湿装置１は、基部１１と、基部１１上に配置される水タンク１２と、水タンク１２上に配置されるミスト噴霧管１３と、基部１１上に配置される超音波振動子１４とを含む。基部１１は、水タンク１２およびミスト噴霧管１３と流体連通している凹部１１１を含む頂面を有する。超音波振動子１４は、凹部１１１の底端部内に配置される。
【０００３】
使用中、水タンク１２は、所定量の噴霧水で満たされる。水は、水タンク１２から凹部１１１に流入し、超音波振動子と接触する。それ故、凹部１１１内の水は、霧を形成するために霧状になる。霧は、ミスト噴霧管１３を通って大気中に吹き出されて周囲の空気の湿度が増大する。
【考案の開示】
【考案が解決しようとする課題】
【０００４】
高水質の加湿空気を得るには、高水質の水を水タンク１２に供給し、超音波加湿装置１の内部を清潔に維持しなければならない。さらに、超音波加湿装置１内で細菌が発生した場合には、細菌を殺菌しなければならない。しかし、上記超音波加湿装置１は、細菌の発生問題を解決することができない。そのため、細菌は、超音波加湿装置１から加湿空気内に霧と一緒に排出される。それ故、加湿空気が、健康に有害な場合もあり、および／または不快な臭気を発生させる場合もある。
【０００５】
本考案の目的は、加湿装置内で霧を殺菌するための紫外線照射装置を含む超音波加湿装置を提供することである。
【課題を解決するための手段】
【０００６】
本考案によれば、超音波加湿装置は、凹部を含む基部と、基部上に配置され、凹部と流体連通している水タンクおよびミスト噴霧管とを含む。超音波振動子は、凹部内の水を噴霧するために凹部の底端部内に配置される。紫外線照射装置は、上記ミスト噴霧管内に配置される。
【考案を実施するための最良の形態】
【０００７】
添付の図面を参照しながら、本考案の好ましい実施形態の以下の詳細な説明を読めば、本考案の上記および他の特徴および利点を理解することができるだろう。
【０００８】
好ましい実施形態を参照しながら本考案を詳細に説明する前に、本明細書全体を通して、類似の要素および構造には類似の参照番号がついていることに留意されたい。
【０００９】
図２および図３を参照すると、本考案による超音波加湿装置２の第１の好ましい実施形態は、基部２１と、基部２１上に配置される水タンク２２と、基部２１上に配置されるミスト噴霧管２３と、基部２１内に配置される超音波振動子２４と、ミスト噴霧管２３内に配置される紫外線照射装置２５とを含む。
【００１０】
基部２１は、凹部２１１を含む頂面を有する。
【００１１】
水タンク２２は、基部２１内の凹部２１１と流体連通している給水口２２１と、給水口２２１の開閉を制御するために周知の方法で給水口２２１内に設置されている弁２２２とを有する。
【００１２】
ミスト噴霧管２３は、基部２１上に配置され、その上端部に配置され、外部環境と流体連通しているミスト出口２３２を有する管本体２３１と、その下端部に配置され、基部２１内の凹部２１１と流体連通しているミスト入口２３３とを含む。
【００１３】
超音波振動子２４は、基部２１内の凹部２１１の底端部内に配置される。
【００１４】
紫外線照射装置２５は、ミスト噴霧管２３内に配置される遮光部２５１と、遮光部２５１内に配置される２つの直立型紫外線ランプ２５２とを含む。ミスト噴霧管２３の内壁面は、遮光部２５１の外壁面と協働して、基部２１内の凹部２１１と流体連通している環状の霧の通路２５３をその間に形成する。紫外線ランプ２５２の数は変えることができる。
【００１５】
使用中、水タンク２２は、所定量の噴霧水で満たされる。水は、水タンク２２から、給水口２２１を介して基部２１内の凹部２１１内に流れる。その後で、霧を形成する目的で、基部２１内の凹部２１１内の水を噴霧するために超音波振動子２４が駆動される。霧は、ミスト噴霧管２３を通して周知の方法で大気中に吹き出され、周囲の空気の湿度を増大する。霧がミスト噴霧管２３を通して流れている間に、紫外線ランプ２５２から放射された紫外線は、霧の中の細菌または病原菌を殺菌することにより、ミスト噴霧管２３内の霧を殺菌することができ、霧の中の有機物質の酸化および分解を強化することができ、それにより加湿空気の品質を高めることができる。
【００１６】
図４は、構造が第１の好ましい実施形態に類似の本考案による超音波加湿装置２の第２の好ましい実施形態を示す。この実施形態の場合には、ミスト噴霧管２３は、さらに、管本体２３１の内壁面上に塗布され、環状の霧の通路２５３内に露出している二酸化チタン被膜２３４を含む。さらに、紫外線照射装置２５は、遮光部２５１の外壁面上に塗布され、環状の霧の通路２５３内に露出している二酸化チタン被膜２５４をさらに含む。
【００１７】
ミスト噴霧管２３を通して霧が流れている間に、二酸化チタン被膜２３４、２５４の光触媒反応により、霧から有害な微生物および有機物質を除去するのを助けるために、強化された酸化力を有する遊離基が形成され、それにより加湿空気が浄化される。
【００１８】
上記考案を、本考案の範囲および精神から逸脱することなしに、種々に修正し、変更することができることを理解することができるだろう。それ故、本考案は、添付の請求の範囲に記載する内容によってだけ制限される。
【図面の簡単な説明】
【００１９】
【図１】従来の超音波加湿装置の部分断面側面図である。
【図２】本考案による超音波加湿装置の第１の好ましい実施形態の部分分解斜視図である。
【図３】第１の好ましい実施形態の部分断面側面図である。
【図４】本考案による超音波加湿装置の第２の好ましい実施形態の部分断面側面図である。
【図１】
0003148438.tif 000003
【図２】
0003148438.tif 000004
【図３】
0003148438.tif 000005
【図４】
0003148438.tif 000006